(57)【要約】【課題】極めて高い装飾性を有し、しかも装飾部材を強固に保持することで、装飾効果を長期間維持することができる装飾用画鋲を提供する。【解決手段】ボルト頭部１の上面に肉厚の装飾基盤２を一体に形成する。該装飾基盤２の頂面中央に円錐形状の嵌合凹部３を設ける。該嵌合凹部３に嵌合する飾り部材Ｐを嵌合凹部３内に接着した装飾画鋲を設ける。嵌合凹部３は、前記装飾基盤２と略同径で、且つ装飾基盤２の肉厚と略同じ深さに形成された円錐形状を成す。前記頭部１を前記装飾基盤２より大径に形成する。該頭部１の中央から頭部１の周囲縁に至る傾斜面４を形成する。ブリリアンカットのダイヤモンド形状を模して飾り部材Ｐを形成する。【選択図】図１
0003113639.tif 000002
【実用新案登録請求の範囲】
【請求項１】
画鋲の頭部に飾り部材を装着した装飾画鋲において、ボルト頭部の上面に肉厚の装飾基盤を一体に形成し、該装飾基盤の頂面中央に円錐形状の嵌合凹部を設け、該嵌合凹部に嵌合する飾り部材を嵌合凹部内に接着したことを特徴とする装飾用画鋲。
【請求項２】
ボルト頭部の上面に肉厚の装飾基盤を一体に形成し、該装飾基盤の頂面中央に円錐形状の嵌合凹部を設け、該嵌合凹部に嵌合する飾り部材を嵌合凹部内に接着した装飾画鋲において、前記嵌合凹部は、前記装飾基盤と略同径で、且つ装飾基盤の肉厚と略同じ深さに形成されたことを特徴とする装飾用画鋲。
【請求項３】
ボルト頭部の上面に肉厚の装飾基盤を一体に形成し、該装飾基盤の頂面中央に円錐形状の嵌合凹部を設け、該嵌合凹部に嵌合する飾り部材を嵌合凹部内に接着した装飾画鋲において、前記嵌合凹部は、前記装飾基盤と略同径で、且つ装飾基盤の肉厚と略同じ深さに形成され、前記頭部は、前記装飾基盤より大径に形成され、該頭部の中央から頭部の周囲縁に至る傾斜面を形成したことを特徴とする装飾用画鋲。
【請求項４】
ボルト頭部の上面に肉厚の装飾基盤を一体に形成し、該装飾基盤の頂面中央に円錐形状の嵌合凹部を設け、該嵌合凹部に嵌合する飾り部材を嵌合凹部内に接着した装飾画鋲において、前記嵌合凹部は、前記装飾基盤と略同径で、且つ装飾基盤の肉厚と略同じ深さに形成され、前記頭部は、前記装飾基盤より大径に形成され、該頭部の中央から頭部の周囲縁に至る傾斜面を形成し、前記飾り部材は、ダイヤモンドの略ブリリアンカット形状を模して形成されたことを特徴とする装飾用画鋲。
【請求項５】
ボルト頭部の上面に肉厚の装飾基盤を一体に形成し、該装飾基盤の頂面中央に円錐形状の嵌合凹部を設け、該嵌合凹部に嵌合する飾り部材を嵌合凹部内に接着した装飾画鋲において、前記嵌合凹部は、前記装飾基盤の肉厚と略同じ深さに形成され、前記飾り部材は、ダイヤモンドの略ブリリアンカット形状を模して形成されたことを特徴とする装飾用画鋲。
【考案の詳細な説明】
【技術分野】
【０００１】
本考案は、画鋲に装飾部材を施した装飾用画鋲に係るもので、高い装飾性を有し、しかも装飾部材を強固に保持できる装飾用画鋲に関するものである。
【背景技術】
【０００２】
画鋲の頭部に突起を設けたものとして、引用文献１に記載された画鋲が提案されている。この画鋲は、頭部に側面半円状の突起を設けたものである。この突起を指で摘み、画鋲の頭部を押し込むことで、画鋲の止め針を深く差し込むことができるようにしたものである。
【０００３】
一方、画鋲の代用となる磁石付き止め具に装飾を施したものが引用文献２に記載されている。この止め具は、平らな底面部に磁石を取り付け、この磁石を覆う半球部を設けたものである。磁石は、鉄板等に紙片等を止める画鋲の代用として使用し、半球部は、この磁石をはがす際の摘みとなり、且つ、意匠的に優れたものにできるというものである。
【特許文献１】実用新案登録第３１０６８１１号公報
【特許文献２】実用新案登録第３００２７７７号公報
【考案の開示】
【考案が解決しようとする課題】
【０００４】
ところが、特許文献１に記載された画鋲の側面半円状の突起は、指でつまむことは可能でも、画鋲を装飾するものではなく、むしろ、画鋲の頭部に突出したこの突起が、画鋲使用時の見栄えを損ねるおそれもある。
【０００５】
一方、特許文献２に記載された磁石付き止め具では、画鋲の代用として使用する磁石を飾ることは可能でも、画鋲自体を飾ることはできない。しかも、特許文献２の半球部は、鉄板を絞り加工して半球状に形成したものであり、内部に空間が形成されている。そのため、半球部を装飾部材として利用することは可能でも、この半球部が衝撃等で変形するおそれがあるなど、装飾効果を長期間維持することは困難である。しかも、この半球部は磁石を大きく覆う構造を成しているので、紙片固定時に、この半球部が紙片の表示を隠してしまうなどの不都合もある。
【０００６】
そこで本考案は、上述の課題を解消すべく案出されたもので、極めて高い装飾性を有し、しかも装飾部材を強固に保持することで、装飾効果を長期間維持することができる装飾用画鋲の提供を目的とするものである。
【課題を解決するための手段】
【０００７】
本考案画鋲の第１の手段は、画鋲の頭部１に飾り部材Ｐを装着した装飾画鋲において、ボルト頭部１の上面に肉厚の装飾基盤２を一体に形成し、該装飾基盤２の頂面中央に円錐形状の嵌合凹部３を設け、該嵌合凹部３に嵌合する飾り部材Ｐを嵌合凹部３内に接着したことにある。
【０００８】
第２の手段は、ボルト頭部１の上面に肉厚の装飾基盤２を一体に形成し、該装飾基盤２の頂面中央に円錐形状の嵌合凹部３を設け、該嵌合凹部３に嵌合する飾り部材Ｐを嵌合凹部３内に接着した装飾画鋲において、前記嵌合凹部３は、前記装飾基盤２と略同径で、且つ装飾基盤２の肉厚と略同じ深さに形成されたものである。
【０００９】
第３の手段は、ボルト頭部１の上面に肉厚の装飾基盤２を一体に形成し、該装飾基盤２の頂面中央に円錐形状の嵌合凹部３を設け、該嵌合凹部３に嵌合する飾り部材Ｐを嵌合凹部３内に接着した装飾画鋲において、前記嵌合凹部３は、前記装飾基盤２と略同径で、且つ装飾基盤２の肉厚と略同じ深さに形成され、前記頭部１は、前記装飾基盤２より大径に形成され、該頭部１の中央から頭部１の周囲縁に至る傾斜面４を形成したことにある。
【００１０】
第４の手段は、ボルト頭部１の上面に肉厚の装飾基盤２を一体に形成し、該装飾基盤２の頂面中央に円錐形状の嵌合凹部３を設け、該嵌合凹部３に嵌合する飾り部材Ｐを嵌合凹部３内に接着した装飾画鋲において、前記嵌合凹部３は、前記装飾基盤２と略同径で、且つ装飾基盤２の肉厚と略同じ深さに形成され、前記頭部１は、前記装飾基盤２より大径に形成され、該頭部１の中央から頭部１の周囲縁に至る傾斜面４を形成し、前記飾り部材Ｐは、ダイヤモンドの略ブリリアンカット形状を模して形成されている。
【００１１】
第５の手段は、ボルト頭部１の上面に肉厚の装飾基盤２を一体に形成し、該装飾基盤２の頂面中央に円錐形状の嵌合凹部３を設け、該嵌合凹部３に嵌合する飾り部材Ｐを嵌合凹部３内に接着した装飾画鋲において、前記嵌合凹部３は、前記装飾基盤２と略同じ深さに形成され、前記飾り部材Ｐは、ダイヤモンドの略ブリリアンカット形状を模して形成されたことを課題解消のための手段とする。
【考案の効果】
【００１２】
本考案によると、ボルト頭部１の上面に肉厚の装飾基盤２を一体に形成し、該装飾基盤２の頂面中央に円錐形状の嵌合凹部３を設け、該嵌合凹部３に嵌合する飾り部材Ｐを嵌合凹部３内に接着したことにより、飾り部材Ｐが装飾基盤２に強固に接着されるので、装飾性を長期間保つことができる。
【００１３】
また、嵌合凹部３は、前記装飾基盤２と略同径で、且つ装飾基盤２の肉厚と略同じ深さに形成された円錐形状を成すことにより、この嵌合凹部３の加工が極めて容易でありながら、嵌合凹部３に接着した飾り部材Ｐと頭部１とを一体にすることができる。この結果、耐衝撃性、耐震性、耐候性などにも優れた装飾画鋲を提供することができる。
【００１４】
更に、頭部１を装飾基盤２より大径に形成し、該頭部１の中央から頭部１の周囲縁に至る傾斜面４を形成したことにより、画鋲の頭部１を利用した装飾効果が得られる。
【００１５】
そして、飾り部材Ｐを、ダイヤモンドの略ブリリアンカット形状を模して形成することで、極めて装飾性の高い画鋲を提供することができる。
【００１６】
このように、本考案によると、極めて高い装飾性を有し、しかも装飾部材を強固に保持することで、装飾効果を長期間維持できるなどといった有益な種々の効果を奏するものである。
【考案を実施するための最良の形態】
【００１７】
本考案画鋲の最良の形態は、ボルト頭部１の上面に肉厚の装飾基盤２を一体に形成する。該装飾基盤２の頂面中央に円錐形状の嵌合凹部３を設ける。該嵌合凹部３に嵌合する飾り部材Ｐを嵌合凹部３内に接着した装飾画鋲を設ける。嵌合凹部３は、前記装飾基盤２と略同径で、且つ装飾基盤２の肉厚と略同じ深さに形成された円錐形状を成す。前記頭部１は、前記装飾基盤２より大径に形成される。該頭部１の中央から頭部１の周囲縁に至る傾斜面４を形成する。前記飾り部材Ｐは、ブリリアンカットのダイヤモンド形状を模して形成されることで、当初の目的を達成するものである。
【実施例】
【００１８】
本考案画鋲は、画鋲の頭部１に飾り部材Ｐを装着したものである（図１参照）。該頭頭部１の上面に肉厚の装飾基盤２を一体に形成している。すなわち、略円板状を成した頭部１の上面に略円柱状の装飾基盤２を一体に設けたものである。
【００１９】
そして、装飾基盤２の頂面中央に円錐形状の嵌合凹部３を設けている。この嵌合凹部３は、後述する飾り部材Ｐを嵌合し、接着剤にて固定する部分である。接着剤は、装飾基盤２や飾り部材Ｐの材質により適宜に選択するものである。例えば、金属やプラスチックの装飾基盤２に、ガラスやプラスチック等の飾り部材Ｐを接着するには、２液タイプのエポキシ系接着剤が好適である。
【００２０】
嵌合凹部３は、前記装飾基盤２と略同径で、且つ装飾基盤２の肉厚と略同じ深さに形成された円錐形状に形成することで、飾り部材Ｐを接着固定する際の接着強度を高めることができる。しかも、この装飾基盤２に接着された飾り部材Ｐは、量感及び質感共に富んだ装飾が可能になる（図３参照）。この結果、嵌合凹部３に接着固定した飾り部材Ｐは、高い装飾性を有しながら、極めて安定した状態で固定され、装飾効果を長期間維持できるものである。
【００２１】
一方、頭部１は、前記装飾基盤２の径より大径に形成されている。そして、該頭部１の中央から頭部１の周囲縁に至る傾斜面４を形成し、この傾斜面４による飾り部材Ｐと一体となった装飾効果を有するものである。
【００２２】
図４は、本考案の他の実施例を示すもので、頭部１と装飾基盤２とを同じ径に形成し、傾斜面４を小さくしている。この実施例によると、特に飾り部材Ｐがあたかも大きな宝石のように輝き、強度と共に意匠的に優れた画鋲を提供できる。
【００２３】
飾り部材Ｐは、頭部１の頂面中央に嵌合して接着固定するものであり、装飾部Ｐ１と嵌合部Ｐ２とからなる。装飾部Ｐ１は、頭部１を装飾する部分であり、一方、嵌合部Ｐ２は、頭部１の嵌合凹部３内に嵌合する部分である（図１参照）。図示の飾り部材Ｐは、透明又は半透明なガラスやプラスチック等の材質にて、装飾部Ｐ１と嵌合部Ｐ２とで成す略ブリリアンカットのダイヤモンド形状を模している。飾り部材Ｐをこのように形成することで、反射効率の良い飾り部材Ｐを形成することができる。このとき、嵌合部Ｐ２の形状は必ず嵌合凹部３と一致する円錐形状であるが、装飾部Ｐ１の形状の形状、サイズ、デザイン等は任意に設定できるものである。
【００２４】
尚、本考案における図示例の各構成は一実施例に過ぎず、頭部１の形状や装飾基盤２との寸法比率、あるいは傾斜面２や嵌合凹部３のサイズの変更や飾り部材Ｐのデザイン、止め針５のサイズなど、本考案の要旨を変更しない範囲において自由に変更することができるものである。
【図面の簡単な説明】
【００２５】
【図１】本考案の一実施例を示す一部切欠き分解正面図である。
【図２】本考案の一実施例を示す平面図である。
【図３】本考案の一実施例を示す正面図である。
【図４】本考案の他の実施例を示す正面図である。
【符号の説明】
【００２６】
Ｐ  飾り部材      Ｐ１  装飾部
Ｐ２  嵌合部
１  頭部
２  装飾基盤
３  嵌合凹部
４  傾斜面
５  止め針
【図１】
0003113639.tif 000003
【図２】
0003113639.tif 000004
【図３】
0003113639.tif 000005
【図４】
0003113639.tif 000006